(57)【特許請求の範囲】
【請求項１】
化粧材を取付金具によって建物駆体に取り付ける化粧材の取付構造であって、
前記化粧材は、前記取付金具の側に突き出し、前記化粧材と一体として形成された、先端部の厚さが根元側の厚さよりも厚い突出部を備え、
前記取付金具は、前記建物駆体にその基部を固定され、前記化粧材の側に突き出して前記突出部を挟み込む２つの係止片からなる受け部を備え、
少なくとも一方の前記係止片は、前記基部から立ち上がる壁部の先端部に他方の係止片の側に湾曲する湾曲部を有し、
その湾曲部から折り返された折り返し部分は、前記他方の係止片に向かって凸状の屈曲部を形成し、
前記屈曲部と前記他方の係止片との間には開口が設けられ、
前記屈曲部は、断面において、前記受け部の入口から前記屈曲部に向かって開口幅を狭める勾配の直線と、前記屈曲部から前記基部に向かって開口幅を広げる勾配の直線とが交差して形成されており、
前記化粧材の前記突出部が、前記受け部の前記屈曲部から前記基部の側に挿入されて前記化粧材が前記建物駆体に取り付けられている状態で、前記折り返し部分の基部側端部は前記壁部から離れている、化粧材の取付構造。
【発明の詳細な説明】
【０００１】
【発明の属する技術分野】
本発明は、化粧材を建物駆体に取り付けるための化粧材の取付構造に関する。
【０００２】
【従来の技術】
建物駆体への化粧材の取り付けには、美観の重視、取付作業の簡便化、リサイクル化などの点から、たとえば、図４に示すような取付構造が提案されてきた（特開平10-306572号公報）。図４において、化粧材１１１は、建物の１階と２階との間の隙間を目隠しするために取り付けられている。取付金具１２０は、本体プレート１２１と受け部１２２とから構成されている。これら本体プレート１２１と受け部１２２とは、ともに建物駆体にビス１４０によって取り付けられ一体化されている。
【０００３】
上記の受け部１２２に化粧材１１１に備えられた突出部１１２を挿入することにより化粧材が固定される。上記の取付構造を用いることにより、作業性が向上し、容易に化粧材を建物駆体に取り付けることが可能となる。さらに、ビス１４０は化粧材１１１によって覆われるので露出せず、建物の美観が損なわれない。
【０００４】
図４において、取付金具１２０の受け部１２２には、その弾性部１２３の先端が折り曲げられることによって係止部１２４が形成されている。化粧材１１１の突出部１１２の側壁には、くびれ部１１３が形成されている。これら係止部１２４とくびれ部１１３とが、取り付けの際にばね嵌合することにより、強く噛み合い、取付強度の向上が図られる。
【０００５】
【発明が解決しようとする課題】
しかしながら、近年、建物の補修を必要度に応じて行ない、建物を長期間、快適な状態で使用する考え方が重視される傾向にある。このためには、建物の点検を手軽に行なえる構造であることが望ましい。建物駆体の点検がなされる重要箇所として、１階部分と２階部分との隙間を埋めるコーキング箇所がある。このコーキング箇所を定期的に点検するためには、化粧胴差し材を取り外して、再び取り付けることが容易にできなければならない。さらに、たとえば化粧破風材、化粧鼻隠し材、化粧柱材、見切り材、コーナー材、内装化粧材等の化粧材においても、一度化粧材を取り外して、再び取付ける必要性が出てきている。
【０００６】
従来の建物、たとえば図４に示す化粧材の取付構造では、上記のような点検のしやすさという考え方が採り入れられていないために、一度取り付けた化粧材を点検のために外すことはできない。すなわち、上記係止部１２４とくびれ部１１３とは、銛や釣り針のかえりのように係合し、化粧材を建物駆体から遠ざけるように外そうとするかぎり、無傷で取り外すことはできない。
【０００７】
本発明は、建物駆体への化粧材の取り付けと取り外しとを容易に行なうことができる化粧材の取付構造を提供することを目的とする。
【０００８】
【課題を解決するための手段】
本発明の化粧材の取付構造は、化粧材を取付金具によって建物駆体に取り付ける化粧材の取付構造である。この取付構造では、化粧材は、取付金具の側に突き出し、化粧材と一体として形成された先端部の厚さが根元側の厚さよりも厚い突出部を備え、取付金具は、建物駆体にその基部を固定され、化粧材の側に突き出して突出部を挟み込む２つの係止片からなる受け部を備え、少なくとも一方の係止片は、基部から立ち上がる壁部と、壁部の先端部において他方の係止片の側に湾曲する湾曲部と、湾曲部から折り返された折り返し部分とを有し、折り返し部分は、他方の係止片に向かって凸状の屈曲部を形成し、屈曲部と他方の係止片との間には開口が設けられ、屈曲部は断面において、受け部の入口から屈曲部に向かって開口幅を狭める勾配の直線と屈曲部から基部に向かって開口幅を広げる勾配の直線とが交差して形成されており、化粧材の突出部が、受け部の屈曲部から基部の側に挿入されて化粧材が建物駆体に取り付けられる状態で、折り返し部分の基部側端部は壁部から離れている（請求項１）。
【０００９】
この構成によれば、化粧材の突出部の先端部は、係止片の折り返し部分に形成された凸状の屈曲部の奥に挿入される。このとき、湾曲部の内径が比較的大きいと、根元側よりも厚い先端部が折り返し部分に接触しながら挿入される際に、内径が小さくなることにより厚い先端部を受け入れ易い。
【００１０】
また、屈曲部は、他方の係止片に凸状に突き出している。作業者は、化粧材の突出部を受け部に押し込む際に、ある個所までは腕に抵抗を感じ、その箇所から先は抵抗なく入り込む感覚が得られることが望ましい。言い換えれば、化粧材を受け部に、明確に挿入した確信を得ることが望ましい。そのためには、断面において、受け部の入口から屈曲部に向かって開口幅を狭める勾配の直線と、屈曲部から基部に向かって開口幅を広げる勾配の直線とが交差して形成されるような屈曲部であることが望ましい。すなわち、受け部入口から基部の側に沿う係止片の断面の屈曲部において、係止片の勾配の向きが変わるような屈曲部であることが望ましい。
【００１１】
この屈曲部は、断面において山型の頂部の両側に係止片の連続する部分を有している。このため、化粧材の先端部の挿入に際しても、また取り外しに際しても、化粧材の突出部の先端部は、その係止片の連続する部分に摺動して動く。このため、係止片が突出部の受け部への挿入および離脱に大きな障害となることはない。すなわち、一度取り付けた化粧材の取り外しにあたっては、取付金具が化粧材の先端部に対して、銛や釣り針に備えられる抜け防止の「かえり（逆鉤）」のような作用を及ぼすことはない。また、取り付けに際しても、同様である。
【００１２】
化粧材の取り付けの固定力という点では、２つの係止片が化粧材の先端部を挟み込み、また金具の弾性力が作用するので十分な固定力を得ることができる。上記の構成では、化粧材の突出部の受け部への挿入および離脱において、化粧材の突出部が屈曲部にさしかかる際に、上記湾曲部の内径を小さくする弾性変形と、壁部の傾きの弾性変形とが生じる。このため、十分な固定力を発揮した上で、上記挿入および離脱の作業が容易となる。壁が基部から立ち上がる角度は、直角でもよいが、必ずしも直角でなく、他方の係止片の側に傾いていてもよいし、他方の係止片から離れるように傾いていてもよい。
【００１３】
このため、建物の外壁の２階や３階に相当する高所での作業でも、安全にかつ容易に化粧材を取り付けし、また取り外しできる。この結果、コーキング箇所などの点検箇所を容易に点検して補修の必要性等をアドバイスすることができる。
【００１４】
【発明の実施の形態】
次に図面を用いて本発明の実施の形態について、説明する。
【００１５】
（実施の形態１）
図１（ａ）は、本発明の実施の形態１における化粧材の取付構造を示す断面図である。図１（ａ）において、取付金具２０に備えられる取付プレート２１および受け部２２は一体化されている。取付プレート２１は、ビス４０によって建物駆体３０およびその下地材３３に固定されている。建物駆体３０の２階部分と１階部分との境界の隙間にはシリコンコーキング処理が施されている。
【００１６】
化粧材１１には、突出部１２が設けられ、その先端部１２ａの厚さは根元側よりも厚くされている。化粧材１１の突出部１２を受け部２２に挿入することにより、化粧材は建物駆体に取り付けられる。化粧材の突出部１２は、図の紙面に垂直に化粧材の１単位のわたって長く帯状に形成されてもよいし、化粧材の１単位の中に複数個が断続的に配置されていてもよい。取付金具は、その突出部に沿って複数個が離散的に配置されるのが普通である。しかし、突出部に沿って長い形状の取付金具であってもよい。
【００１７】
上記の２階部分と１階部分との境の隙間のコーキング部分３１が劣化すると、隙間から湿気等が侵入して建物の耐久性を劣化させる。このため、コーキング部分は建物の維持にとって重要な箇所であり、定期的に点検を行なう必要がある。
【００１８】
図１（ｂ）は、化粧材の突出部１２の先端部１２ａが、取付金具に挿入されて取り付けられている状態を示す断面図である。受け部２２は、取付プレート２１と接して一体化されている基部２２ｄと、基部から立ち上がる壁部２２ｃと、受け部先端の湾曲部である折り返し個所２２ａと、その折り返された部分である折り返し部分２５で山型の頂部を形成する凸状の屈曲部２２ｂとを有している。化粧材が建物駆体に確実に固定されるためには、化粧材の突出部の先端部１２ａが、受け部の山型の頂部２２ｂよりも奥に押し込まれることが必要である。図１（ｂ）における開口幅はＷ1である。
【００１９】
化粧材の突出部１２の受け部２２への挿入の際に必要な負荷は、折り返し箇所２２ａの内径の曲率半径Ｒに大きく依存する。上記の先端部が比較的小さい力で受け部２２に挿入され、また引き抜かれるためには、上記の曲率半径Ｒを大きめにとることが望ましい。
【００２０】
図１（ｃ）は、化粧材の突出部１２を受け部２２から引き抜いている状態を示す断面図である。開口幅はＷ2である。根元側よりも厚い先端部１２ａが凸状の屈曲部２２ｂにさしかかると、上記の折り返し個所２２ａから先の折り返し部分２５が外方へと押される。一方、壁部２２ｃも外側に曲がろうとするが、基部２２ｄは不変なので、折り返し部分２５ほど大きく外側に移動しない。このため、折り返し個所２２ａの内径の曲率半径は小さくなる。この曲率半径が小さくなる変形が容易に行なわれれば、受け部の開口幅の大きな変化（Ｗ1→Ｗ2）が容易に行なわれることになり、化粧材の取り付け、また取り外しに伴う力が小さくてすむようになる。
【００２１】
上述した受け部の開口幅の大きな変化が容易に行なわれるようになると、化粧材の突出部１２を確実に保持することができ、しかも取り外し、取り付けも容易になる。したがって、高所作業においても、容易に化粧材の取り外しおよび取り付けを行なうことができ、この結果、たとえばコーキング箇所の点検を容易に行なうことが可能になる。
【００２２】
（実施の形態２）
図２（ａ）は、本発明の実施の形態２の化粧材の取付構造を示す断面図である。同図において、取付金具２０は、受け部２２と取付プレート２１とを備えている。取付プレート２１は、ビス４０によって建物駆体３０と、その下地材３３とに固定されている。取付プレート２１は、その上部２１ａで桟木３２と外側から包むように建物駆体３０に固定し、その下端部２１ｂで受け部と一体化している。
【００２３】
化粧材１１はビス４１によって、その上部を桟木３２に固定され、下部において突出部１２が取付金具の受け部２２に挿入され、化粧材１１は全体として確実に建物駆体に取り付けられている。１階部分と２階部分との境の隙間はコーキング処理され、化粧材１１によって外部から見えないように隠されている。
【００２４】
図２（ｂ）は、化粧材の突出部が取付金具の受け部２２に挿入された状態を示す断面図である。突出部１２は、受け部２２の湾曲部または折り返し部分を有する係止片と、他方の折り返し部分のない係止片２２ｋとを弾性変形させることにより挿入されている。
【００２５】
図３（ａ）および  図３（ｂ）は、図２（ａ）に示す化粧材の建物駆体３０への取付方法を示す図である。まず、（Ｉ）化粧材１１の上部を桟木３２に掛けながら、（ＩＩ）化粧材の下部を建物駆体に近づける（図３（ａ））。化粧材１１の突出部１２を取付金具の受け部２２に挿入した後、（ＩＩＩ）化粧材の上部を桟木にビス４１で止める。本実施の形態における化粧材は、ビス４１と桟木３２、および突出部１２と受け部２２とを備える取付構造によって建物駆体に、強固に取り付けられる。
【００２６】
図３（ｃ）は、化粧材の先端部１２を受け部２２に挿入する際の係止片の動きを示す図である。挿入の際に、係止片の弾性変形により折り返し個所２２ａの内径の半径が小さくなり、突出部１２の先端部１２ａを比較的小さい力で押し込むことができる。取り外す際にも同様な弾性変形が生じ、同様に比較的小さい力で取り外すことが可能となる。
【００２７】
上記において、本発明の実施の形態について説明を行ったが、上記に開示された本発明の実施の形態は、あくまで例示であって、本発明の範囲はこれら発明の実施の形態に限定されない。本発明の範囲は、特許請求の範囲の記載によって示され、さらに特許請求の範囲の記載と均等の意味および範囲内でのすべての変更を含むものである。
【００２８】
【発明の効果】
本発明の化粧材の取付構造を用いることにより、建物駆体への化粧材の取り付けと取り外しとを容易に行なうことができ、高所作業の安全を図るとともに、建物駆体の定期点検を容易に行うことが可能となる。
【図面の簡単な説明】
【図１】  （ａ）は本発明の実施の形態１における化粧材の取付構造を示す断面図であり、（ｂ）は取付構造の拡大図であり、（ｃ）は化粧材の突出部を引き抜く際の係止片の変形を示す断面図である。
【図２】  （ａ）は本発明の実施の形態２における化粧材の取付構造を示す断面図であり、（ｂ）は取付構造の拡大図である。
【図３】  （ａ）および（ｂ）は図２の取付構造を組み立てる手順を説明する図であり、（ｃ）は化粧材の突出部を受け部に挿入する際の係止片の変形を示す断面図である。
【図４】  従来の化粧材の取付構造を示す断面図である。
【符号の説明】
１１  化粧材、１２  突出部、１２ａ  突出部の先端部、２０  取付金具、２１  取付プレート、２２  受け部、２２ａ  湾曲部（折り返し個所）、２２ｂ  凸状の屈曲部（山型の頂部）、２２ｃ  壁部、２２ｄ  基部、２２ｋ  折り返し部を有しない係止片、２５  折り返し部分、３０  建物駆体、３１  コーキング個所、３３  下地材、４０，４１  ビス、Ｒ  化粧材を取り付けた状態での折り返し個所の内径、Ｗ1  突出部を挿入した状態での開口幅、Ｗ2  先端部が開口幅位置にかかる際の開口幅。
【図１】
0003933418.tif 000002
【図２】
0003933418.tif 000003
【図３】
0003933418.tif 000004
【図４】
0003933418.tif 000005